(57)【要約】【課題】低消費電力化を実現することができる電気光学装置、電気光学装置の駆動方法及び電子機器を提供する。【解決手段】プリチャージ電位Ｐｒｅ−ＣＨＧとして、液晶のオフ電位に相当する電位ＶＰＬと、液晶のオン電位に相当する電位ＶＰＨとを出力可能なプリチャージ回路２１０を備える。そして、部分表示モードにおいて、表示領域では、プリチャージ期間にプリチャージ回路２１０でＯＮプリチャージを行った後、画素１１０に対して、データ線駆動回路１９０から階調に応じた画像信号を供給する。一方、非表示領域では、データ線駆動回路１９０からの画像信号の供給を停止すると共に、１水平走査期間、画素１１０に対して、プリチャージ回路２１０から液晶のオフ電位に相当するプリチャージ電位Ｐｒｅ−ＣＨＧを供給する。【選択図】図３
2009109705.tif 000002
【特許請求の範囲】
【請求項１】
複数の走査線と、複数のデータ線と、前記複数の走査線と前記複数のデータ線との交差に対応して設けられた複数の画素と、を備え、前記表示パネルの全画面を表示領域とする全画面表示モードと、前記全画面における一部の領域を表示領域とし、他の領域を非表示領域とする部分表示モードとを選択可能な電気光学装置であって、
前記走査線に対して所定の順番で選択電圧を供給する走査線駆動回路と、
選択された走査線に対応する画素に対し、当該画素の階調に応じた画像信号を、前記データ線を介して供給するデータ線駆動回路と、
複数の電位を出力可能であり、１水平走査期間における非有効表示期間に、前記データ線に対して所定のプリチャージ電位を供給するプリチャージ回路と、を備え、
前記部分表示モードの前記非表示領域において、
前記データ線駆動回路は、前記画像信号の供給を停止し、前記プリチャージ回路は、１水平走査期間、選択された走査線に対応する画素に対して前記画像信号の最小電位となるオフ電位を供給することを特徴とする電気光学装置。
【請求項２】
前記プリチャージ回路は、前記オフ電位と、前記画像信号の最大電位となるオン電位とを、インバータ駆動により出力可能に構成されていることを特徴とする請求項１に記載の電気光学装置。
【請求項３】
前記プリチャージ回路は、前記複数の電位を給電するプリチャージ線と前記各データ線とに接続されると共に、所定のタイミングで前記プリチャージ線と前記各データ線とを導通状態とするスイッチを有し、
前記部分表示モードにおいて、前記表示領域では、前記非有効表示期間に、前記スイッチを制御して前記プリチャージ線と前記各データ線とを導通状態とすると共に、前記各データ線を前記プリチャージ電位として前記オン電位に制御し、前記非表示領域では、１水平走査期間、前記スイッチを制御して前記プリチャージ線と前記各データ線とを導通状態とすると共に、前記各データ線を前記オフ電位に制御するように構成されていることを特徴とする請求項２に記載の電気光学装置。
【請求項４】
ライン反転駆動方式により前記画素を駆動することを特徴とする請求項１乃至３の何れか１項に記載の電気光学装置。
【請求項５】
フレーム反転駆動方式により前記画素を駆動することを特徴とする請求項１乃至３の何れか１項に記載の電気光学装置。
【請求項６】
前記データ線駆動回路は、前記部分表示モードにおいて、前記非表示領域から前記表示領域へ切り換わるとき、前記表示領域へ切り換わる１ライン手前の非表示領域で、前記画像信号の供給を再開するように構成されていることを特徴とする請求項５に記載の電気光学装置。
【請求項７】
前記プリチャージ回路は、前記部分表示モードにおいて、前記非表示領域から前記表示領域へ切り換わるとき、前記表示領域へ切り換わる１ライン手前の非表示領域で、前記非有効表示期間に、選択された走査線に対応する画素に対して前記オフ電位を供給することを特徴とする請求項６に記載の電気光学装置。
【請求項８】
前記請求項１乃至７の何れか１項に記載の電気光学装置を備えることを特徴とする電子機器。
【請求項９】
複数の走査線と、複数のデータ線と、前記複数の走査線と前記複数のデータ線との交差に対応して設けられた複数の画素と、を備え、前記表示パネルの全画面を表示領域とする全画面表示モードと、前記全画面における一部の領域を表示領域とし、他の領域を非表示領域とする部分表示モードとを選択可能な電気光学装置の駆動方法であって、
前記走査線に対して所定の順番で選択電圧を供給し、
選択された走査線に対応する画素に対し、当該画素の階調に応じた画像信号を、前記データ線を介して供給し、
複数の電位を出力可能とし、１水平走査期間における非有効表示期間に、データ線に対して所定のプリチャージ電位を供給し、
前記部分表示モードの前記非表示領域において、前記画像信号の供給を停止し、１水平走査期間、選択された走査線に対応する画素に対して前記画像信号の最小電位となるオフ電位を供給することを特徴とする電気光学装置の駆動方法。
【発明の詳細な説明】
【技術分野】
【０００１】
本発明は、例えば、液晶などの電気光学物質を用いた電気光学装置、電気光学装置の駆動回路及びこの電気光学装置を有する電子機器に関する。
【背景技術】
【０００２】
従来、画像を表示する液晶表示装置などの電気光学装置が知られている。
電気光学装置は、例えば、液晶パネルと、液晶パネルを駆動する液晶駆動回路としての走査線駆動回路及びデータ線駆動回路と、液晶駆動回路を制御する制御回路とを備えている。
走査線駆動回路は、ｎ本の走査線に対して高電位を順次印加することによって走査を行い、各走査線に接続されたスイッチング素子としての薄膜トランジスタ（以下、ＴＦＴと称す）をオン状態とする。また、データ線駆動回路は、走査線駆動回路が走査線を走査している状態において、ｍ本のデータ線の何れかに画像データに応じた階調電圧を出力する。
【０００３】
これにより、オン状態となっているＴＦＴを介して画素電極に階調電圧が書き込まれ、所定の電位に設定された共通電極と階調電圧が印加された画素電極との間の電位差によって光の透過量が制御される。
このような電気光学装置では、一般に、表示品位を向上させるために、１水平走査期間毎に異なる極性の電圧を画素電極に印加するライン反転方式が採用されている。このように、周期的に極性反転した電圧を画素電極へ書き込む駆動方法を採用する場合、当該画素電極の書き込みを十分に行うために、１水平走査期間における非有効表示期間（ブランキング期間）にデータ線を所定の電位に予備充電（プリチャージ）する方法がある。
【０００４】
また、プリチャージ機構を利用して、所定期間中、表示パネルの各データ線に直接、表示信号の最大電圧又は最小電圧を印加する表示駆動装置が知られている（例えば、特許文献１参照）。ここでは、省電力表示を行い得る任意の期間に上記最大電圧又は最小電圧を直接印加することで、表示信号が外部入力されてから各データ線に表示信号電圧を出力するまでに係る回路素子の動作を停止させ、それらによる消費電力を削減している。
【特許文献１】特開２００３−１６２２６３号公報
【発明の開示】
【発明が解決しようとする課題】
【０００５】
しかしながら、上記特許文献に記載の表示駆動装置にあっては、全画面を表示領域とする全面表示モードと、前記全画面における一部の領域を表示領域とし、他の領域を非表示領域とする部分表示モードとを選択可能な場合において、低消費電力化を図る駆動方法については何ら開示されていない。
そこで、本発明は、低消費電力化を実現することができる電気光学装置、電気光学装置の駆動方法及び電子機器を提供することを課題としている。
【課題を解決するための手段】
【０００６】
上記課題を解決するために、第１の発明に係る電気光学装置は、複数の走査線と、複数のデータ線と、前記複数の走査線と前記複数のデータ線との交差に対応して設けられた複数の画素とを備え、前記表示パネルの全画面を表示領域とする全画面表示モードと、前記全画面における一部の領域を表示領域とし、他の領域を非表示領域とする部分表示モードとを選択可能な電気光学装置であって、前記走査線に対して所定の順番で選択電圧を供給する走査線駆動回路と、選択された走査線に対応する画素に対し、当該画素の階調に応じた画像信号を、前記データ線を介して供給するデータ線駆動回路と、複数の電位を出力可能であり、１水平走査期間における非有効表示期間に、前記データ線に対して所定のプリチャージ電位を供給するプリチャージ回路とを備え、前記部分表示モードの前記非表示領域において、前記データ線駆動回路は、前記画像信号の供給を停止し、前記プリチャージ回路は、１水平走査期間、選択された走査線に対応する画素に対して前記画像信号の最小電位となるオフ電位を供給することを特徴としている。
【０００７】
これにより、部分表示モードにおける非表示領域では、プリチャージ用の電源を利用して画素データの書き込みを行うことが可能となると共に、データ線駆動回路からの画像信号を画素に書き込む、所謂ソース書き込みを停止することができるので、低消費電力化を図ることができる。
また、第２の発明は、第１の発明において、前記プリチャージ回路は、前記オフ電位と、前記画像信号の最大電位となるオン電位とを、インバータ駆動により出力可能に構成されていることを特徴としている。
【０００８】
これにより、全画面表示モードや部分表示モードにおける表示領域では、非有効表示期間にプリチャージ電位としてオン電位を利用してプリチャージを行う、所謂ＯＮプリチャージを行うと共に、有効表示期間に通常のソース書き込みを行うことができる。このように、プリチャージ電位を画素にかかる電位範囲のほぼ中央（中間電位）より高くすることで、プリチャージ期間が短い場合であってもプリチャージ完了時の電位が上記中間電位になるようにすることができ、画素電極に画像データを書き込む時間を十分に確保して、表示画像の色むら等を軽減して画質を向上させることができる。
【０００９】
また、オフ電位とオン電位とをインバータ駆動により出力可能とするので、比較的簡易な回路構成でプリチャージ電位の出力が可能となる。
さらに、第３の発明は、第２の発明において、前記プリチャージ回路は、前記複数の電位を給電するプリチャージ線と前記各データ線とに接続されると共に、所定のタイミングで前記プリチャージ線と前記各データ線とを導通状態とするスイッチを有し、前記部分表示モードにおいて、前記表示領域では、前記非有効表示期間に、前記スイッチを制御して前記プリチャージ線と前記各データ線とを導通状態とすると共に、前記各データ線を前記プリチャージ電位として前記オン電位に制御し、前記非表示領域では、１水平走査期間、前記スイッチを制御して前記プリチャージ線と前記各データ線とを導通状態とすると共に、前記各データ線を前記オフ電位に制御するように構成されていることを特徴としている。
【００１０】
これにより、比較的簡易な構成で、部分表示モードにおける表示領域でのＯＮプリチャージと、非表示領域でのプリチャージ回路からの画素書き込みとを実現することができる。
また、第４の発明は、第１乃至第３の発明の何れか１つにおいて、ライン反転駆動方式により前記画素を駆動することを特徴としている。
【００１１】
これにより、画面のフリッカー等を抑制して表示品質の向上を図ることができる。
さらにまた、第５の発明は、第１乃至第３の発明の何れか１つにおいて、フレーム反転駆動方式により前記画素を駆動することを特徴としている。
これにより、より低消費電力化を実現することができる。
また、第６の発明は、第５の発明において、前記データ線駆動回路は、前記部分表示モードにおいて、前記非表示領域から前記表示領域へ切り換わるとき、前記表示領域へ切り換わる１ライン手前の非表示領域で、前記画像信号の供給を再開するように構成されていることを特徴としている。
【００１２】
これにより、部分表示モードにおいて、表示領域に切り換わる１ライン手前の非表示領域で、プリチャージ電位を次の表示領域でＯＮプリチャージするための電位に事前に切り換えることができるので、非表示領域から表示領域へ切り換わったとき、表示領域のＯＮプリチャージを適正に行うことができ、確実に表示画像の色むら等を軽減して画質を向上させることができる。
【００１３】
さらに、第７の発明は、第６の発明において、前記プリチャージ回路は、前記部分表示モードにおいて、前記非表示領域から前記表示領域へ切り換わるとき、前記表示領域へ切り換わる１ライン手前の非表示領域で、前記非有効表示期間に、選択された走査線に対応する画素に対して前記オフ電位を供給することを特徴としている。
これにより、部分表示モードにおいて、表示領域に切り換わる１ライン手前の非表示領域では、水平ブランキング期間内のプリチャージ期間、データ線に対してオフ電位を供給する、所謂ＯＦＦプリチャージを行うことになる。このとき、データ線駆動回路から各画素に対してオフ表示とするための画像信号を供給するため、ＯＦＦプリチャージを行うことで表示への影響を無くすことができる。
【００１４】
また、第８の発明の電子機器は、第１乃至第７の発明の何れか１つの電気光学装置を備えることを特徴としている。
これにより、低消費電力化を実現した電子機器とすることができる。
さらにまた、第９の発明に係る電気光学装置の駆動方法は、複数の走査線と、複数のデータ線と、前記複数の走査線と前記複数のデータ線との交差に対応して設けられた複数の画素と、を備え、前記表示パネルの全画面を表示領域とする全画面表示モードと、前記全画面における一部の領域を表示領域とし、他の領域を非表示領域とする部分表示モードとを選択可能な電気光学装置の駆動方法であって、前記走査線に対して所定の順番で選択電圧を供給し、選択された走査線に対応する画素に対し、当該画素の階調に応じた画像信号を、前記データ線を介して供給し、複数の電位を出力可能とし、１水平走査期間における非有効表示期間に、データ線に対して所定のプリチャージ電位を供給し、前記部分表示モードの前記非表示領域において、前記画像信号の供給を停止し、１水平走査期間、選択された走査線に対応する画素に対して前記画像信号の最小電位となるオフ電位を供給することを特徴としている。
【００１５】
これにより、特に超低消費電力が要求される部分表示モードで、確実に消費電力を低減させることができる電気光学装置の駆動方法とすることができる。
【発明を実施するための最良の形態】
【００１６】
以下、本発明の実施の形態を図面に基づいて説明する。
図１は、第１の実施形態における電気光学装置１０の構成を示すブロック図である。
この図に示されるように、電気光学装置１０は、表示領域１００を有し、この表示領域１００の周辺に制御回路２０、走査線駆動回路１４０、データ線駆動回路１９０、プリチャージ回路２１０が配置した構成となっている。
【００１７】
このうち、表示領域１００は、画素１１０が配列する領域であり、本実施形態では、３２０行の走査線１１２が行（Ｘ）方向に延在する一方、２４０列のデータ線１１４が列（Ｙ）方向に延在するように、それぞれ設けられ、１〜３２０行目の走査線１１２と１〜２４０列目のデータ線１１４との交差に対応して、画素１１０がそれぞれ配列している。
なお、本実施形態では、画素１１０が表示領域１００において縦３２０行×横２４０列でマトリクス状に配列することになるが、本発明をこの配列に限定する趣旨ではない。
【００１８】
また、本実施形態の電気光学装置１０は、表示領域１００の全画面を表示領域とする全画面表示モードと、前記全画面における一部の領域を表示領域とし、他の領域を非表示領域とする部分表示モードとを選択可能となっている。
図２は、部分表示モードにおける表示領域を示す図である。
部分表示モードでは、例えば図２に示すように、縦方向（ｙ方向）の上端から８０行目から１６０行目の画素の領域のみを表示領域として画像（時刻や電池残量など）を表示し、その他の領域である非表示領域には、画像を表示しない。すなわち、非表示領域は、ノーマリーホワイトの場合は白が表示され、ノーマリーブラックの場合は黒が表示される。
【００１９】
次に、画素１１０の詳細な構成について説明する。
図３は、画素１１０の構成及びプリチャージ回路２１０の構成を示す図である。ここでは、ｎ行及びこれに隣接する（ｎ＋１）行と、ｍ列との交差に対応する計２画素分の構成を示している。
なお、ｎは、画素１１０が配列する行を一般的に示す場合の記号であって、１以上３２０以下の整数であり、ｍは、画素１１０が配列する列を一般的に示す場合の記号であって、１以上２４０以下の整数である。
【００２０】
この図３に示されるように、各画素１１０は、画素スイッチング素子として機能するｎチャネル型の薄膜トランジスタ（以下、ＴＦＴと称す）１１６と、画素容量（液晶容量）１２０と、蓄積容量１３０とを有する。各画素１１０については互いに同一構成なので、ｎ行ｍ列に位置するもので代表して説明すると、当該ｎ行ｍ列の画素１１０において、ＴＦＴ１１６のゲート電極はｎ行目の走査線１１２に接続される一方、そのソース電極はｍ列目のデータ線１１４に接続され、そのドレイン電極は画素容量１２０の一端である画素電極に接続されている。
【００２１】
また、画素容量１２０の他端はコモン電極１０８に接続されている。このコモン電極１０８は、図１に示されるように全ての画素１１０にわたって共通であり、制御回路２０からコモン信号Ｖｃｏｍが供給される。なお、本実施形態においてコモン信号Ｖｃｏｍは、後述する極性指示信号Ｐｏｌに応じて、電圧ＶＣＯＭＬと電圧ＶＣＯＭＨとに極性反転するものであって、これにより、コモン電位ＣＯＭが周期的にＶＣＯＭＬとＶＣＯＭＨとに極性反転するようになっている。
【００２２】
表示領域１００は、画素電極が形成された素子基板とコモン電極１０８が形成された対向基板との一対の基板同士を、電極形成面が互いに対向するように一定の間隙を保って貼り合わせるとともに、この間隙に液晶を封止した構成となっている。このため、画素容量１２０は、画素電極とコモン電極１０８とで誘電体の一種である液晶を挟持したものとなり、画素電極とコモン電極１０８との差電圧を保持する構成となっている。この構成において、画素容量１２０では、その透過光量が当該保持電圧の実効値に応じて変化する。
【００２３】
なお、本実施形態では説明の便宜上、画素容量１２０において保持される電圧実効値がゼロに近ければ、光の透過率が最大となって白色表示になる一方、電圧実効値が大きくなるにつれて透過する光量が減少して、ついには透過率が最小の黒色表示になるノーマリーホワイトモードに設定されているものとする。
説明を再び図１に戻すと、制御回路２０は、各種の制御信号を出力して電気光学装置１０における各部の制御等を行う。
【００２４】
表示領域１００の周辺には、上述したように走査線駆動回路１４０や、データ線駆動回路１９０、プリチャージ回路２１０などの周辺回路が設けられている。
このうち、走査線駆動回路１４０は、制御回路２０による制御にしたがって、１垂直走査期間（１フレーム期間）にわたって走査信号Ｙ１、Ｙ２、Ｙ３、…、Ｙ３２０を、それぞれ１、２、３、…、３２０行目の走査線１１２に供給するものである。すなわち、走査線駆動回路１４０は、走査線を１、２、３、…、３２０行目という順番で選択するとともに、選択した走査線への走査信号を選択電圧に相当するＨレベルとし、それ以外の走査線への走査信号を非選択電圧（接地電位Ｇｎｄ）に相当するＬレベルとする。
【００２５】
詳細には、走査線駆動回路１４０は、制御回路２０から供給されるスタートパルスＤｙをクロック信号Ｃｌｙにしたがって順次シフトすること等によって、走査信号Ｙ１、Ｙ２、Ｙ３、Ｙ４、…、Ｙ３２０を出力する。
また、データ線駆動回路１９０は、走査線駆動回路１４０により選択される走査線１１２に位置する画素１１０の表示階調に応じた電圧であって、且つ極性指示信号Ｐｏｌで指定された極性の電圧のデータ信号Ｘ１、Ｘ２、Ｘ３、…、Ｘ２４０を、１、２、３、…、２４０列目のデータ線１１４にそれぞれ供給する。
【００２６】
ここで、データ線駆動回路１９０は、縦３２０行×横２４０列のマトリクス配列に対応した記憶領域（図示省略）を有し、各記憶領域には、それぞれ対応する画素１１０の階調値（明るさ）を指定する表示データＤａが記憶される。各記憶領域に記憶される表示データＤａは、表示内容に変更が生じた場合に、制御回路２０によってアドレスとともに変更後の表示データＤａが供給されて書き換えられる。
【００２７】
データ線駆動回路１９０は、選択される走査線１１２に位置する画素１１０の表示データＤａを記憶領域から読み出すとともに、当該階調値に応じた電圧であって指定された極性の電圧のデータ信号に変換し、データ線１１４に供給する動作を、選択される走査線１１２に位置する１〜２４０列のそれぞれについて実行する。
ここで、極性指示信号Ｐｏｌは、Ｈレベルであれば正極性書込を指定し、Ｌレベルであれば負極性書込を指定する信号であり、本実施形態では１行毎に極性反転するものとする。すなわち、本実施形態では、１水平走査期間（１Ｈ）において画素に書き込む極性をすべて同一とし、この書込極性を１Ｈ毎に反転させたライン反転駆動方式とする。
【００２８】
なお、制御回路２０は、クロック信号Ｃｌｙの論理レベルが遷移するタイミングにおいてラッチパルスＬｐをデータ線駆動回路１９０に供給する。上述したように、走査線駆動回路１４０は、スタートパルスＤｙをクロック信号Ｃｌｙにしたがって順次シフトすること等によって、走査信号Ｙ１、Ｙ２、Ｙ３、Ｙ４、…、Ｙ３２０を出力するので、走査線が選択される期間の開始タイミングは、クロック信号Ｃｌｙの論理レベルが遷移するタイミングである。したがって、データ線駆動回路１９０は、例えばラッチパルスＬｐを１フレームの期間にわたってカウントし続けることによって何行目の走査線が選択されるのかを知ることができる。
【００２９】
また、プリチャージ回路２１０には、制御回路２０からプリチャージ制御信号ＤＳＧが供給される。そして、プリチャージ回路２１０は、上記プリチャージ制御信号ＤＳＧに応じて、各水平走査期間における、データ線駆動回路１９０から各データ線１１４にデータ信号を順次供給する前の水平ブランキング期間内（非有効表示期間内）に、各データ線１１４を所定の電位に予備充電（プリチャージ）する。
【００３０】
このプリチャージ回路２１０は、図３に示すように、スイッチ２１２を介して２つのプリチャージ電位ＶＰＨ，ＶＰＬをインバータ駆動によりプリチャージ線２１４に出力する。そして、制御回路２０から出力されるプリチャージ制御信号ＤＳＧに応じて、スイッチ２１６がＯＮ／ＯＦＦされることで、プリチャージ線２１４と各データ線１１４とを導通状態としてプリチャージ電位ＶＰＨ又はＶＰＬを各データ線１１４へ供給する。
【００３１】
なお、図３では、スイッチ２１６がＯＮされたとき、プリチャージ線２１４とｍ列目のデータ線１１４とが導通状態となるようにしているが、実際には、スイッチ２１６がＯＮされたとき、プリチャージ線２１４と全てのデータ線１１４とが導通状態となり、全てのデータ線１１４にプリチャージ電位ＶＰＨ又はＶＰＬが同時に供給されることになる。
ここで、プリチャージ電位ＶＰＨ及びＶＰＬは、それぞれ極性の異なる液晶のオン電位（黒レベル）である。つまり、極性指示信号ＰｏｌがＨレベルとなって正極性書込を指定しており、コモン信号Ｖｃｏｍ＝ＶＣＯＭＬである場合には、ＶＰＨがオン電位、ＶＰＬがオフ電位となる。一方、極性指示信号ＰｏｌがＬレベルとなって負極性書込を指定しており、コモン信号Ｖｃｏｍ＝ＶＣＯＭＨである場合には、ＶＰＬがオン電位、ＶＰＨがオフ電位となる。
【００３２】
そして、正極性書込のときは、プリチャージ電位Ｐｒｅ−ＣＨＧがオン電位に相当するＶＰＨとなり、負極性書込のときは、プリチャージ電位Ｐｒｅ−ＣＨＧがオン電位に相当するＶＰＬとなる。
このように、プリチャージ電位を液晶にかかる電位範囲のほぼ中央（中間電位）より高くすることで、予備充電期間が短い場合であっても充電完了時の電位が上記中間電位になるようにすることができる。以下、これをＯＮプリチャージという。
【００３３】
そして、本実施形態では、通常は、１水平走査期間におけるブランキング期間に、画素に対してオン電位に相当するプリチャージ電位を供給するＯＮプリチャージを行うと共に、ＯＮプリチャージ後の有効表示期間に、データ線駆動回路１９０から階調に応じたデータ信号を画素に対して供給する、所謂ソース書き込みを行う。また、部分表示モードの非表示領域では、上記ソース書き込みを停止し、１水平走査期間、画素に対してオフ電位に相当するプリチャージ電位を供給することで、画素に対してオフ電位を書き込む。
【００３４】
次に、本実施形態に係る電気光学装置１０の動作について説明する。
図４は、第１の実施形態の全画面表示モードでの動作を説明するためのタイミングチャートである。
この図４において、Ｈｓｙｎｃは、１水平走査期間の開始タイミングを指示するための水平同期信号、ＳＥＬ＿１、…、ＳＥＬ＿２４０は、それぞれ１〜２４０列目のデータ線１１４に対してデータ線駆動回路１９０から供給されるデータ信号、ＣＯＭはコモン電位、Ｐｒｅ−ＣＨＧはプリチャージ電位である。
【００３５】
この全画面表示モードでは、１フレーム期間中において、データ線駆動回路１９０からデータ線１１４へのデータ信号の供給が連続的に行われ、これにより、表示領域の全ての画素にデータ信号が供給されて、全画面表示が行われる。
上述したように本実施形態では、ライン反転駆動方式を採用している。このため、制御回路２０は、極性指示信号Ｐｏｌを、ある１Ｈ期間においてＨレベルとして正極性書込を指定し、次の１Ｈ期間においてＬレベルとして負極性書込を指定して、以下同様に１Ｈ期間毎に書込極性を反転させる。したがって、図４に示すように、コモン電位ＣＯＭは、１Ｈ期間毎にＶＣＯＭLとＶＣＯＭＨとに極性反転する。
【００３６】
また、水平ブランキング期間における所定のプリチャージ期間に、プリチャージ制御信号ＤＳＧをＨレベルとして、プリチャージ線２１４のプリチャージ電位を各データ１１４に供給する。このとき、各データ線１１４に供給するプリチャージ電位は、コモン電位ＣＯＭがＶＣＯＭＨならばＶＰＬ、ＶＣＯＭＬならばＶＰＨとなる。
すなわち、時刻ｔ１で、走査線駆動回路１４０からｎ行目の走査線１１２に対してＨレベルとなる走査信号Ｙｎが供給されると、時刻ｔ１から時刻ｔ３までの水平ブランキング期間における、時刻ｔ１から時刻ｔ２までの期間で、プリチャージ制御信号ＤＳＧをＨレベルとする。このとき、この１Ｈ期間において負極性書込が行われているものとすると、液晶のオン電位に相当するプリチャージ電位ＶＰＬが各データ線１１４に供給される。このようにしてＯＮプリチャージがなされる。
【００３７】
なお、ここでは、プリチャージ期間を時刻ｔ１から時刻ｔ２までの期間としているが、時刻ｔ１から時刻ｔ３までの水平ブランキング期間内であれば、これに限定されるものではない。
時刻ｔ３では、１列目のデータ線１１４に対して、データ線駆動回路１９０からデータ信号を供給する。これにより、ｎ行目の走査線１１２と１列目のデータ線１１４との交差に対応した画素１１０に、当該画素１１０の階調に応じた画像データが書き込まれる。また、このときスイッチ２１２を切り換えて、プリチャージ電位Ｐｒｅ−ＣＨＧをＶＰＬからＶＰＨへ切り換える。
【００３８】
なお、ここでは、時刻ｔ３でプリチャージ電位Ｐｒｅ−ＣＨＧの切り換えを行っているが、プリチャージ電位Ｐｒｅ−ＣＨＧの切り換えタイミングは、現在の１Ｈ期間におけるプリチャージ期間が終了してから次の１Ｈ期間が開始されるまでの間であれば、これに限定されるものではない。但し、比較的早いタイミングで切り換える方が望ましい。
その後は、２列目、３列目、…、２４０列目のデータ線１１４に対して、データ線駆動回路１９０から順次データ信号を供給する。これにより、ｎ行目の全ての画素にデータ信号が供給される。
【００３９】
そして、時刻ｔ４で、走査線駆動回路１４０から（ｎ＋１）行目の走査線１１２に対してＨレベルとなる走査信号Ｙ（ｎ＋１）が供給され、次の１Ｈ期間が開始されると、制御回路２０からコモン信号Ｖｃｏｍ＝ＶＣＯＭＬが出力されて、コモン電位ＣＯＭが極性反転される。すなわち、この（ｎ＋１）行目では正極性書込が行われる。
また、この時刻ｔ４では、プリチャージ制御信号ＤＳＧがＨレベルとなって、液晶のオン電位に相当するプリチャージ電位ＶＰＨが各データ線１１４に供給され、時刻ｔ５でプリチャージ制御信号ＤＳＧがＬレベルとなることで、各データ線１１４に対するプリチャージが終了する。
【００４０】
時刻ｔ６では、１列目のデータ線１１４に対して、データ線駆動回路１９０からデータ信号を供給する。また、このときスイッチ２１２を切り換えて、プリチャージ電位Ｐｒｅ−ＣＨＧをＶＰＨからＶＰＬへ切り換える。
その後は、２列目、３列目、…、２４０列目のデータ線１１４に対して、データ線駆動回路１９０から順次データ信号を供給する。これにより、（ｎ＋１）行目の全ての画素にデータ信号が供給される。
【００４１】
以上のように、ライン反転駆動方式により、１水平ラインごとに交互に正極性書込および負極性書込を繰り返して、１つのフレームを生成する。
また、このとき、水平ブランキング期間内の所定のプリチャージ期間にＯＮプリチャージを行うので、各画素への画像データの書き込み時間を稼ぐことができ、表示不良等を防止して画質向上を図ることができる。
【００４２】
次に、部分表示モードにおける動作について説明する。
図５は、第１の実施形態の部分表示モードでの動作を説明するためのタイミングチャートである。
この部分表示モードにおいても、前述した全画面表示モードと同様に、走査線駆動回路１４０により、１行目、２行目、…、２４０行目の走査線１１２に、順次走査信号が供給される。この場合にも、ライン反転駆動方式により、１Ｈ期間ごとに交互に正極性書込及び負極性書込を繰り返す。
【００４３】
時刻ｔ１１では、走査線駆動回路１４０から、表示領域であるｎ行目の走査線１１２に対してＨレベルとなる走査信号Ｙｎが供給される。なお、時刻ｔ１１から時刻ｔ１４までの１Ｈ期間では、負極性書込が行われるものとする。
この時刻ｔ１１では、プリチャージ制御信号ＤＳＧがＨレベルとなって、液晶のオン電位に相当するプリチャージ電位ＶＰＬが各データ線１１４に供給され、時刻ｔ１２でプリチャージ制御信号ＤＳＧがＬレベルとなることで、各データ線１１４に対するプリチャージが終了する。
【００４４】
時刻ｔ１３では、１列目のデータ線１１４に対して、データ線駆動回路１９０からデータ信号を供給し、その後は、２列目、３列目、…、２４０列目のデータ線１１４に対して、データ線駆動回路１９０から順次データ信号を供給する。これにより、ｎ行目の全ての画素にデータ信号が供給される。
そして、時刻ｔ１４で、走査線駆動回路１４０から（ｎ＋１）行目の走査線１１２に対してＨレベルとなる走査信号Ｙ（ｎ＋１）が供給され、次の１Ｈ期間が開始されると、制御回路２０からコモン信号Ｖｃｏｍ＝ＶＣＯＭＬが出力されて、コモン電位ＣＯＭが極性反転される。すなわち、この（ｎ＋１）行目では正極性書込が行われる。
【００４５】
なお、ここでは、（ｎ＋１）行目から（ｎ＋３）行目までを非表示領域とする。
この時刻ｔ１４では、プリチャージ制御信号ＤＳＧをＨレベルに切り換える。本実施形態では、非表示領域の書き込みを、ソース線駆動回路１９０からのソース書き込みに代えて、プリチャージ電位Ｐｒｅ−ＣＨＧによる書き込みとする。
したがって、時刻ｔ１４から時刻ｔ１５までの１Ｈ期間は、プリチャージ制御信号ＤＳＧがＨレベルに維持されると共に、プリチャージ電位Ｐｒｅ−ＣＨＧが液晶のオフ電位に相当するＶＰＬに維持される。また、この１Ｈ期間では、データ線駆動回路１９０から各画素１１０に対するデータ信号の供給は停止される。これにより、プリチャージ電位ＶＰＬが各データ線１１４に供給され、（ｎ＋１）行目の１〜２４０列目に対応する画素１１０がオフ表示となる。
【００４６】
このように、プリチャージ電位Ｐｒｅ−ＣＨＧの切り換えタイミング、及びプリチャージ制御信号ＤＳＧの切り換えタイミングを調整することで、非表示領域の書き込みをプリチャージ電位による書き込みとすることができる。
また、時刻ｔ１５で、走査線駆動回路１４０から（ｎ＋２）行目の走査線１１２に対してＨレベルとなる走査信号Ｙ（ｎ＋２）が供給され、次の１Ｈ期間が開始されると、制御回路２０からコモン信号Ｖｃｏｍ＝ＶＣＯＭＨが出力されて、コモン電位ＣＯＭが極性反転される。すなわち、この（ｎ＋２）行目では負極性書込が行われる。また、この時刻ｔ１５では、プリチャージ電位Ｐｒｅ−ＣＨＧがＶＰＬからＶＰＨへ切り換わる。
【００４７】
そして、時刻ｔ１５から時刻ｔ１６までの１Ｈ期間は、プリチャージ制御信号ＤＳＧがＨレベルを維持すると共に、プリチャージ電位Ｐｒｅ−ＣＨＧも液晶のオフ電位に相当するＶＰＨを維持する。これにより、この１Ｈ期間では、プリチャージ電位ＶＰＨが各データ線１１４に供給される。
同様に、非表示領域である（ｎ＋３）行目では、時刻ｔ１６から時刻ｔ１７までの１Ｈ期間において、液晶のオフ電位に相当するプリチャージ電位ＶＰＬが各データ線１１４に供給される。
【００４８】
そして、時刻ｔ１７では、走査線駆動回路１４０から、表示領域である（ｎ＋４）行目の走査線１１２に対してＨレベルとなる走査信号Ｙ（ｎ＋４）が供給される。すると、制御回路２０からコモン信号Ｖｃｏｍ＝ＶＣＯＭＨが出力されて、コモン電位ＣＯＭが極性反転される。すなわち、この（ｎ＋４）行目では負極性書込が行われる。
このとき、プリチャージ制御信号ＤＳＧはＨレベルを維持し、この時点でのプリチャージ電位ＶＰＬ（液晶のオン電位に相当）を各データ線１１４に供給する。
【００４９】
そして、時刻ｔ１８でプリチャージ制御信号ＤＳＧがＬレベルとなることで、各データ線１１４に対するプリチャージが終了する。
時刻ｔ１９では、１列目のデータ線１１４に対して、データ線駆動回路１９０からデータ信号を供給し、その後は、２列目、３列目、…、２４０列目のデータ線１１４に対して、データ線駆動回路１９０から順次データ信号を供給する。これにより、（ｎ＋４）行目の全ての画素にデータ信号が供給される。また、プリチャージ電位Ｐｒｅ−ＣＨＧは、時刻ｔ１９でＶＰＬからＶＰＨに切り換える。
【００５０】
なお、ここでは、非表示領域の１ライン手前の表示領域で、時刻ｔ１３のようにプリチャージ電位Ｐｒｅ−ＣＨＧの切り換えを行わない場合について説明したが、図中破線に示すように、通常の表示領域と同様にプリチャージ電位Ｐｒｅ−ＣＨＧの切り換えを行うようにしてもよい。但し、その場合、非表示領域となる時刻ｔ１４で、プリチャージ電位Ｐｒｅ−ＣＨＧをオフ電位に相当する電位（時刻ｔ１４ではＶＰＬ）に切り換える必要がある。
【００５１】
このように、上記第１の実施形態では、部分表示モードにおける非表示領域では、１水平走査期間、プリチャージ回路からオフ電位を供給することで画像表示（オフ表示）を行うので、プリチャージ用の電源を利用して画素データの書き込みを行うことが可能となる。また、データ線駆動回路からの画像信号を画素に書き込む、所謂ソース書き込みを停止することができるので、特に超低消費電力が要求される部分表示モードでの低消費電力化を実現することができる。
【００５２】
また、プリチャージ電位として、画像信号の最小電位となるオフ電位と、画像信号の最大電位となるオン電位とを出力可能とするので、全画面表示モードや部分表示モードにおける表示領域では、非有効表示期間に、プリチャージ電位としてオン電位を利用してプリチャージを行う、所謂ＯＮプリチャージを行うことができる。このように、プリチャージ電位を画素（液晶）にかかる電位範囲のほぼ中央（中間電位）より高くすることで、プリチャージ期間が短い場合であってもプリチャージ完了時の電位が上記中間電位になるようにすることができ、画素電極に画像データを書き込む時間を十分に確保して、表示画像の色むら等を軽減して画質を向上させることができる。
【００５３】
また、オフ電位とオン電位とをインバータ駆動により出力可能とするので、比較的簡易な回路構成でプリチャージ電位の出力が可能となる。
さらに、プリチャージ電位を給電するプリチャージ線と各データ線とに接続されると共に、所定のタイミングでプリチャージ線と各データ線とを導通状態とするスイッチを備える。そして、部分表示モードにおいて、表示領域では、プリチャージ期間に前記スイッチを制御してプリチャージ線と各データ線とを導通状態とすると共に、プリチャージ電位をオン電位に制御し、非表示領域では、１水平走査期間、前記スイッチを制御してプリチャージ線と各データ線とを導通状態とすると共に、プリチャージ電位をオフ電位に制御する。これにより、比較的簡易な構成で、部分表示モードにおける表示領域でのＯＮプリチャージと、非表示領域でのプリチャージ回路からの画素書き込みとを実現することができる。
【００５４】
また、ライン反転駆動方式を採用するので、画面のフリッカー等を抑制して表示品質の向上を図ることができる。
さらにまた、プリチャージ回路は、データ線の全てに対してオン電位をプリチャージするので、画面全体の画質向上を図ることができる。
次に、本発明における第２の実施形態について説明する。
【００５５】
この第２の実施形態は、前述した第１の実施形態において、ライン反転駆動方式を採用しているのに対し、１フレーム毎に極性反転するフレーム反転駆動方式を採用するようにしたものである。
すなわち、第２の実施形態における電気光学装置１０の構成は、図１に示す第１の実施形態における電気光学装置１０の構成と同様であるため、動作の異なる部分を中心に説明する。
【００５６】
フレーム反転駆動では、１フレーム期間において画素に書き込む極性をすべて同一とし、この書込極性を１フレーム毎に反転させる。具体的には、制御回路２０から出力される極性指示信号Ｐｏｌが１フレーム毎にＨレベルとＬレベルとに極性反転され、それに伴って、コモン信号Ｖｃｏｍも１フレーム毎にＶＣＯＭＬとＶＣＯＭＨとに極性反転される。
したがって、プリチャージ電位Ｐｒｅ−ＣＨＧは、全画面表示モードでは、正極性書込と負極性書込とが切り換わる１フレーム期間毎にＶＰＨとＶＰＬとに切り換わることになる。
【００５７】
図６は、第２の実施形態の部分表示モードでの動作を説明するためのタイミングチャートである。
時刻ｔ２１では、走査線駆動回路１４０から、表示領域であるｎ行目の走査線１１２に対してＨレベルとなる走査信号Ｙｎが供給される。なお、この１フレーム期間においては、正極性書込が行われるものとする。
【００５８】
この時刻ｔ２１では、プリチャージ制御信号ＤＳＧがＨレベルとなって、液晶のオン電位に相当するプリチャージ電位ＶＰＨが各データ線１１４に供給され、時刻ｔ２２でプリチャージ制御信号ＤＳＧがＬレベルとなることで、各データ線１１４に対するプリチャージが終了する。
時刻ｔ２３では、１列目のデータ線１１４に対して、データ線駆動回路１９０からデータ信号を供給し、その後は、２列目、３列目、…、２４０列目のデータ線１１４に対して、データ線駆動回路１９０から順次データ信号を供給する。これにより、ｎ行目の全ての画素にデータ信号が供給される。
【００５９】
また、時刻ｔ２３では、プリチャージ電位Ｐｒｅ−ＣＨＧをＶＰＨからＶＰＬに切り換える。
フレーム反転駆動で正極性書込を行う場合、コモン電位ＣＯＭがＶＣＯＭＬに固定されているため、ＯＮプリチャージ及びソース書き込みを行う表示領域では、プリチャージ電位Ｐｒｅ−ＣＨＧをＶＰＨに固定しておけばよい。ところが、非表示領域では、ソース書き込みからプリチャージ電位による書き込みに切り換えると共に、そのときのプリチャージ電位Ｐｒｅ−ＣＨＧは液晶のオフ電位である必要がある。そのため、非表示領域となる１ライン手前の表示領域で、プリチャージ電位Ｐｒｅ−ＣＨＧを液晶のオン電位からオフ電位に切り換える必要がある。
【００６０】
そのため、本実施形態では、非表示領域となる１ライン手前における時刻ｔ２３で、プリチャージ電位Ｐｒｅ−ＣＨＧをＶＰＨからＶＰＬに切り換えている。
なお、ここでは、時刻ｔ２３でプリチャージ電位Ｐｒｅ−ＣＨＧを切り換える場合について説明したが、プリチャージ電位Ｐｒｅ−ＣＨＧの切り換えタイミングは、非表示領域となる１ライン手前の１Ｈ期間におけるプリチャージ期間が終了してから、非表示領域の１Ｈ期間が開始されるまでの間であれば、これに限定されるものではない。但し、比較的早いタイミングで切り換える方が望ましい。
【００６１】
そして、時刻ｔ２４で、走査線駆動回路１４０から（ｎ＋１）行目の走査線１１２に対してＨレベルとなる走査信号Ｙ（ｎ＋１）が供給され、次の１Ｈ期間が開始される。なお、ここでは、（ｎ＋１）行目から（ｎ＋３）行目までを非表示領域とする。
この時刻ｔ２４では、プリチャージ制御信号ＤＳＧをＨレベルに切り換える。上述したように、非表示領域の書き込みは、プリチャージ電位Ｐｒｅ−ＣＨＧによる書き込みとするため、時刻ｔ２４から時刻ｔ２５までの１Ｈ期間は、プリチャージ制御信号ＤＳＧをＨレベルに維持する。これにより、この１Ｈ期間では、液晶のオフ電位に相当するプリチャージ電位ＶＰＬが各データ線１１４に供給される。
【００６２】
また、（ｎ＋２）行目の走査線１１２に対してＨレベルとなる走査信号Ｙ（ｎ＋２）が供給される時刻ｔ２５から時刻ｔ２６までの間も、時刻ｔ２４から時刻ｔ２５までの間と同様に、プリチャージ制御信号ＤＳＧをＨレベルに維持すると共に、プリチャージ電位Ｐｒｅ−ＣＨＧをＶＰＬに維持することで、この１Ｈ期間でも、プリチャージ電位ＶＰＬを各データ線１１４に供給する。
【００６３】
そして、時刻ｔ２６では、（ｎ＋３）行目の走査線１１２に対してＨレベルとなる走査信号Ｙ（ｎ＋３）が供給される。この（ｎ＋３）行目は、表示領域の１ライン手前の非表示領域である。
本実施形態では、フレーム反転駆動方式を採用する場合、表示領域の１ライン手前の非表示領域から、ソース書き込みを復帰させると共に、ＯＮプリチャージに代えてＯＦＦプリチャージを行うものとする。
【００６４】
すなわち、時刻ｔ２６ではプリチャージ制御信号ＤＳＧをＨレベルに維持し、時刻ｔ２７でプリチャージ制御信号ＤＳＧをＬレベルに切り換える。このとき、プリチャージ電位Ｐｒｅ−ＣＨＧはＶＰＬを維持しているため、この時刻ｔ２６から時刻ｔ２７のプリチャージ期間では、液晶のオフ電位に相当するプリチャージ電位ＶＰＬがプリチャージされる、所謂ＯＦＦプリチャージが行われる。
【００６５】
そして、時刻ｔ２８では、１列目のデータ線１１４に対して、データ線駆動回路１９０からデータ信号を供給する。このとき、データ線駆動回路１９０からはオフ電位に相当するデータ信号を供給することで、（ｎ＋３）行目の１列目に対応する画素１１０をオフ表示とする。また、この時刻ｔ２８では、スイッチ２１２を切り換えて、プリチャージ電位Ｐｒｅ−ＣＨＧをＶＰＬからＶＰＨへ切り換える。
【００６６】
その後は、２列目、３列目、…、２４０列目のデータ線１１４に対して、データ線駆動回路１９０から順次オフ電位となるデータ信号を供給する。これにより、（ｎ＋３）行目の全ての画素がオフ表示となる。
時刻ｔ２９では、走査線駆動回路１４０から、表示領域である（ｎ＋４）行目の走査線１１２に対してＨレベルとなる走査信号Ｙ（ｎ＋４）が供給される。
【００６７】
この時刻ｔ２９では、プリチャージ制御信号ＤＳＧをＨレベルに切り換え、この時点でのプリチャージ電位ＶＰＨを各データ線１１４に供給する（ＯＮプリチャージ）。そして、時刻ｔ３０でプリチャージ制御信号ＤＳＧをＬレベルとすることで、各データ線１１４に対するプリチャージを終了する。
時刻ｔ３１では、１列目のデータ線１１４に対して、データ線駆動回路１９０からデータ信号を供給し、その後は、２列目、３列目、…、２４０列目のデータ線１１４に対して、データ線駆動回路１９０から順次データ信号を供給する。これにより、（ｎ＋４）行目の全ての画素にデータ信号が供給される。また、プリチャージ電位Ｐｒｅ−ＣＨＧは、この１Ｈ期間ではＶＰＨを維持する。
【００６８】
このように、フレーム反転駆動方式を採用した場合、非表示領域から表示領域へ変更する際、表示領域の１ライン手前からプリチャージ電位からの書き込みを停止し、通常のソース書き込みに復帰する。また、このとき、ＯＦＦプリチャージを行うと共に、ソース線駆動回路１９０からは各データ線１１４に対してオフ電位を供給する。
ところで、表示領域の１ライン手前からソース書き込みに復帰させず、非表示領域の最後までプリチャージ電位によるオフ電位の書き込みを行うことも考えられるが、この場合表示に影響を与えてしまう。以下、これについて詳述する。
【００６９】
図７は、非表示領域の最後までプリチャージ電位による書き込みを行った場合のタイミングチャートである。
時刻ｔ４１で、走査線駆動回路１４０から、非表示領域であるｎ行目の走査線１１２に対してＨレベルの走査信号Ｙｎが供給されると、プリチャージ制御信号ＤＳＧをＨレベルに切り換え、これを時刻ｔ４２までの１Ｈ期間保持する。このとき、プリチャージ電位Ｐｒｅ−ＣＨＧは、液晶のオフ電位に相当するＶＰＬに切り換わっているので、この１Ｈ期間ではプリチャージ電位ＶＰＬが各データ線１１４に供給され、プリチャージ電位によるオフ電位の書き込みが行われる。
【００７０】
そして、時刻ｔ４２では、走査線駆動回路１４０から、最後の非表示領域である（ｎ＋１）行目の走査線１１２に対してＨレベルの走査信号Ｙ（ｎ＋１）が供給される。ここでもプリチャージ電位による書き込みを行うことから、１Ｈ期間、プリチャージ制御信号ＤＳＧをＨレベルに維持すると共に、プリチャージ電位Ｐｒｅ−ＣＨＧをＶＰＬに維持する。これにより、時刻ｔ４２から時刻ｔ４３までの１Ｈ期間、プリチャージ電位ＶＰＬが各データ線１１４に供給される。
【００７１】
時刻ｔ４３では、走査線駆動回路１４０から、表示領域である（ｎ＋２）行目の走査線１１２に対してＨレベルの走査信号Ｙ（ｎ＋２）が供給され、プリチャージ制御信号ＤＳＧは、時刻ｔ４４までのプリチャージ期間Ｈレベルに維持される。このとき、プリチャージ電位Ｐｒｅ−ＣＨＧはＶＰＬとなっているため、時刻ｔ４３から時刻ｔ４４までのプリチャージ期間では、液晶のオフ電位に相当するプリチャージ電位ＶＰＬが各データ線１１４にプリチャージされる。
【００７２】
そして、時刻ｔ４５では、１列目のデータ線１１４に対して、データ線駆動回路１９０からデータ信号を供給し、その後は、２列目、３列目、…、２４０列目のデータ線１１４に対して、データ線駆動回路１９０から順次データ信号を供給する。
このように、非表示領域の最後までプリチャージ電位による書き込みを行うと、非表示領域から表示領域へ変更したとき、プリチャージ電位Ｐｒｅ−ＣＨＧを、表示領域でのＯＮプリチャージするための電位（ここでは、ＶＰＨ）に切り換えることができない。そのため、非表示領域から表示領域へ変更したとき、最初の表示領域ではプリチャージ電位が変わってしまうため（オフ電位をプリチャージすることになるため）、十分な書き込みが行えず表示に悪影響を与えてしまうおそれがある。
【００７３】
これに対して、本実施形態では、非表示領域から表示領域へ変更する際、表示領域へ移行する１ライン手前からソース書き込みに切り換えるので、プリチャージ電位Ｐｒｅ−ＣＨＧを、表示領域でのＯＮプリチャージするための電位に切り換えることができる。その結果、表示領域において確実にＯＮプリチャージがなされ、表示の見栄えを向上させることができる。
【００７４】
また、表示領域へ移行する１ライン手前のソース書き込みでは、ＯＦＦプリチャージを行っているが、ソース書き込みでオフ電位を書き込むため、プリチャージがＯＦＦプリチャージであっても表示に影響を与えることはない。
図８は、ＯＮプリチャージとＯＦＦプリチャージとによる画素電位の遷移の違いを説明する図である。この図８において、（ａ）は画素電位が中間調の場合、（ｂ）は画素電位がＯＦＦ電位の場合を示している。なお、ここでは、動作を明確にするために、コモン電位ＣＯＭがＶＣＯＭＬからＶＣＯＭＨへ極性反転する場合について説明する。
【００７５】
コモン電位ＣＯＭが反転すると、その寄生容量に起因して画素電位が振られる。図８（ａ）に示すように、画素電位が中間電位の状態でコモン電位ＣＯＭが極性反転すると、画素電位は点Ａまで大きく跳ね上がる。
このとき、プリチャージ期間ＴｐにおいてＯＮプリチャージを行うと、画素電位はプリチャージ終了時に中間電位まで戻され、その後、所望の階調表示を行うための電位まで遷移することになる。一方、プリチャージ期間ＴｐにおいてＯＦＦプリチャージを行うと、画素電極はプリチャージ終了時にオフ電位までしか戻されず、その後、所望の階調表示を行うための電位まで遷移することになる。
【００７６】
したがって、ＯＮプリチャージを行った場合には、比較的早いタイミングで所望の電位に到達することができるが、ＯＦＦプリチャージを行った場合には、所望の電位に到達するまでに時間がかかり、表示に影響を与えてしまう。
このように、中間調付近の表示を行う場合、ＯＮプリチャージを行う方が有利である。
一方、図８（ｂ）に示すようにオフ表示を行っている場合、プリチャージ期間ＴｐにおいてＯＮプリチャージを行うと、画素電位を中間電位まで戻してからオフ電位に遷移させることになるため、所望の電位（オフ電位）に到達するまでの時間は、ＯＦＦプリチャージを行った場合の方が早くなる。
【００７７】
このように、オフ表示を行う場合、ＯＦＦプリチャージを行う方が有利である。
したがって、本実施形態のように、非表示領域の書き込みをソース書き込みとする場合、ＯＦＦプリチャージを行う方が望ましい。
このように、上記第２の実施形態では、フレーム反転駆動方式を採用するので、より低消費電力化を図ることができる。
【００７８】
また、部分表示モードにおいて、表示領域に切り換わる１ライン手前の非表示領域の書き込みを、プリチャージ電位による書き込みからソース書き込みに切り換えるので、表示領域に切り換わる１ライン手前の非表示領域で、プリチャージ電位を次の表示領域でＯＮプリチャージするための電位に事前に切り換えることができる。その結果、非表示領域から表示領域へ切り換わったとき、表示領域のＯＮプリチャージを適正に行うことができ、確実に表示画像の色むら等を軽減して画質を向上させることができる。
【００７９】
さらに、部分表示モードにおいて、表示領域へ切り換わる１ライン手前の非表示領域で、プリチャージ期間にＯＦＦプリチャージを行うと共に、ソース書き込みにてオフ電位を書き込むので、表示に影響を与えることなく非表示領域をオフ表示とすることができる。
なお、上記各実施形態においては、プリチャージ電位として液晶のオン電位とオフ電位（逆極性のオン電位）とをインバータ駆動により出力する場合について説明したが、少なくともオフ電位を出力可能であれば、これに限定されるものではない。例えば、オフ電位を含む複数レベルの電源を用意しておき、次に書き込みを行うラインの画素データの平均電位に一番近い電源を選択し、これをプリチャージ電位として出力するようにしてもよい。
【００８０】
また、上記各実施形態においては、プリチャージ線２１４と各データ線１１４との接続を行うスイッチ２１６を、データ線駆動回路１９０と各データ線１１４との接続を行う各ＳＥＬスイッチとは反対側に設ける場合について説明したが、スイッチ２１６を各ＳＥＬスイッチと並列に設けることもできる。
さらに、上記各実施形態においては、本発明を、液晶を用いた電気光学装置に適用する場合について説明したが、液晶以外の電気光学物質を用いた電気光学装置に適用することもできる。例えば、有機ＥＬや発光ポリマーなどのＯＬＥＤ素子を電気光学物質として用いた表示パネルや、着色された液体とこの液体に分散された白色の粒子とを含むマイクロカプセルを電気光学物質として用いた電気泳動表示パネル、極性が相違する領域ごとに異なる色に塗り分けられたツイストボールを電気光学物質として用いたツイストボールディスプレイパネル、黒色トナーを電気光学物質として用いたトナーディスプレイパネル、ヘリウムやネオン等の高圧ガスを電気光学物質として用いたプラズマディスプレイパネルなど、各種の電気光学装置に対して本発明を適用することができる。
【００８１】
次に、上述した電気光学装置１０を適用した電子機器について説明する。
図９は、電気光学装置１０を適用した携帯電話１２００の構成を示す斜視図である。
この図９に示すように、携帯電話１２００は、複数の操作ボタン１２０１のほか、受話口１２０２、送話口１２０３とともに、上述した表示領域１００を備えるものである。なお、電気光学装置１０のうち、表示領域１００以外の構成要素については電話器に内蔵されるので、外観としては現れない。
【００８２】
また、電気光学装置１０が適用される電子機器としては、図９に示される携帯電話の他にも、デジタルスチルカメラや、ノートパソコン、液晶テレビ、ビューファインダ型（またはモニタ直視型）のビデオレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示装置として、上述した電気光学装置１０が適用可能であることは言うまでもない。
【図面の簡単な説明】
【００８３】
【図１】本発明の実施形態に係る電気光学装置の構成を示すブロック図ある。
【図２】部分表示モードにおける表示領域を示す図である。
【図３】画素の構成及びプリチャージ回路の構成を示す図である。
【図４】第１の実施形態の全画面表示モードでの動作を説明するためのタイミングチャートである。
【図５】第１の実施形態の部分表示モードでの動作を説明するためのタイミングチャートである。
【図６】第２の実施形態の部分表示モードでの動作を説明するためのタイミングチャートである。
【図７】非表示領域の最後までプリチャージ電位による書き込みを行った場合のタイミングチャートである。
【図８】ＯＮプリチャージとＯＦＦプリチャージとによる画素電位の遷移の違いを説明する図である。
【図９】本発明の電気光学装置を適用した携帯電話を示す図である。
【符号の説明】
【００８４】
１０…電気光学装置、２０…制御回路、１００…表示領域、１０５…液晶、１０８…コモン電極、１１０…画素、１１２…走査線、１１４…データ線、１１６…ＴＦＴ、１１８…画素電極、１２０…画素容量、１３０…蓄積容量、１４０…走査線駆動回路、１９０…データ線駆動回路、２１０…プリチャージ回路、２１４…プリチャージ線、１２００…携帯電話
【図１】
2009109705.tif 000003
【図２】
2009109705.tif 000004
【図３】
2009109705.tif 000005
【図４】
2009109705.tif 000006
【図５】
2009109705.tif 000007
【図６】
2009109705.tif 000008
【図７】
2009109705.tif 000009
【図８】
2009109705.tif 000010
【図９】
2009109705.tif 000011